(57)【特許請求の範囲】
【請求項１】
自機の各機能に関する共有の設定及びユーザごとの個人設定を記憶するとともに、前記各機能に対して前記共有の設定及び前記個人設定のいずれを有効とすべきかに関する設定切替情報をユーザごとに記憶する記憶部と、
前記各機能が利用されるときに、前記設定切替情報に基づいて、前記共有の設定及び前記個人設定のいずれを有効とすべきかを特定する制御部と、を備えることを特徴とする複合機。
【請求項２】
請求項１に記載の複合機において、
操作部と、
ユーザに対する認証を行う認証部をさらに備え、
前記制御部は、前記認証部により特定されたユーザの前記設定切替情報を、前記操作部から入力される切替の指示に応じて変更することを特徴とする複合機。
【請求項３】
請求項１又は請求項２に記載の複合機において、
操作部をさらに備え、
前記制御部は、前記記憶部に記憶された前記共有の設定又は前記個人設定を前記操作部から入力される呼び出しの指示に応じて読み出して前記各機能の一時的な設定として用いることを特徴とする複合機。
【請求項４】
請求項１ないし請求項３のいずれかに記載の複合機において、
操作部と、
表示部とをさらに備え、
前記制御部は、前記記憶部に記憶された前記共有の設定又は前記個人設定を前記操作部から入力される呼び出しの指示に応じて読み出して前記表示部に表示させるとともに、読み出した前記共有の設定又は前記個人設定を、前記操作部から入力される変更の指示に応じて変更することを特徴とする複合機。
【発明の詳細な説明】
【技術分野】
【０００１】
本発明は、複合機に関する。
【背景技術】
【０００２】
従来の複合機として、複合機の各機能に関する設定について、ユーザごとに異なった設定を行えるものが提案されている。そのユーザごとの設定の内容としては、例えば、各種キーの設定、ファクシミリ等の送信が完了したことを示す送信証に関する設定、データの保存先に関する設定等がある。なお、他の従来技術としては、特許文献１に記載のものがある。
【特許文献１】特開２００４−１３６８２号公報
【発明の開示】
【発明が解決しようとする課題】
【０００３】
しかしながら、上述の従来の複合機では、ユーザの個人設定が行われた機能について、その機能を共有の設定で利用したい場合には、その機能に対するユーザの個人設定の内容を共有の設定の内容に変更する必要がある。このため、従来の複合機では、機能の設定をユーザの個人設定と共有の設定との間で変更するには面倒な作業が必要であった。
【０００４】
そこで、本発明の解決すべき課題は、機能の設定を共有の設定とユーザの個人設定とで容易に切り替えられる複合機の提供である。
【課題を解決するための手段】
【０００５】
上記の課題を解決するため、発明に係る複合機において、自機の各機能に関する共有の設定及びユーザごとの個人設定を記憶するとともに、前記各機能に対して前記共有の設定及び前記個人設定のいずれを有効とすべきかに関する設定切替情報をユーザごとに記憶する記憶部と、前記各機能が利用されるときに、前記設定切替情報に基づいて、前記共有の設定及び前記個人設定のいずれを有効とすべきかを特定する制御部とを備える。
【０００６】
また、本発明に係る複合機において、操作部と、ユーザに対する認証を行う認証部をさらに備え、前記制御部は、前記認証部により特定されたユーザの前記設定切替情報を、前記操作部から入力される切替の指示に応じて変更する。
【０００７】
また、本発明に係る複合機において、操作部をさらに備え、前記制御部は、前記記憶部に記憶された前記共有の設定又は前記個人設定を前記操作部から入力される呼び出しの指示に応じて読み出して前記各機能の一時的な設定として用いる。
【０００８】
また、本発明に係る複合機において、操作部と、表示部とをさらに備え、前記制御部は、前記記憶部に記憶された前記共有の設定又は前記個人設定を前記操作部から入力される呼び出しの指示に応じて読み出して前記表示部に表示させるとともに、読み出した前記共有の設定又は前記個人設定を、前記操作部から入力される変更の指示に応じて変更する。
【発明の効果】
【０００９】
本発明によれば、記憶部に記憶されている設定切替情報を変更するだけで、各機能に関する共有の設定及びユーザの個人設定の内容を保持した状態のまま、各機能が利用されるときに共有の設定及びユーザの個人設定のいずれを有効とすべきかを切り替えられる。よって、機能の設定を共有の設定とユーザの個人設定とで容易に切り替えられる。
【００１０】
また、本発明によれば、操作部を介して設定切替情報の変更を容易に行える。
【００１１】
また、本発明によれば、記憶部に記憶された共有の設定又はユーザの個人設定を操作部から入力される呼び出しの指示により呼び出して各機能の一時的な設定として用いることができるため、便利である。これは、例えば、ファクシミリ送信等の際に、各ユーザが自分の個人設定又は共有の設定を一時的な設定として利用してファクシミリ送信を行いたい場合等に便利である。
【００１２】
また、本発明によれば、操作部からの入力により記憶部に記憶された各機能の共有の設定及びユーザの個人設定を容易に変更できるとともに、その変更の際に、既に記憶部に記憶された共有の設定及びユーザの個人設定をデフォルトして用いて変更でき、便利である。
【発明を実施するための最良の形態】
【００１３】
図１は、本発明の一実施形態に係る複合機としてのネットワーク複合機（以下、単に「複合機」という）のブロックである。複合機１の機能には、プリンタ機能、ファクシミリ機能、インターネットファクシミリ機能、コピー機能、及びスキャナ機能等が含まれている。この複合機１は、ネットワーク（例えばＬＡＮ（Local Area Network））２２を介してパーソナルコンピュータなどの複数の外部処理装置２３と接続され、外部処理装置２３からの指示によっても、上記の各機能を実行できる。
【００１４】
複合機１は、図１に示すように、制御部１１と、該制御部１１にバス１２を介して接続された記録部１３、読取部１４、表示部１５、操作部１６、記憶部１７、モデム１８、ＮＣＵ（Network Control Unit）１９、及びネットワーク通信部２０を備えている。
【００１５】
制御部１１は、この複合機１の制御を統括するものであり、ＣＰＵ（Central Processing Unit）等を備えて構成されている。また、制御部１１は、ユーザのこの複合機１の使用権限に関する認証を行う認証部としての機能も有している。この認証は、例えば、後述する記憶部１７に記憶されたユーザの認証用の登録データ（例えば、ＩＤ及びパスワード等）と、操作部１７等から入力された認証用の入力データ（例えば、ＩＤ及びパスワード等）とを照合することにより行われる。認証が適正に行われた場合には、そのユーザに対する使用権限が認められる（ログインが許可される）。なお、認証の手法に関する他の例としては、ＩＤ、パスワード等の入力に代わって、指紋等の生体情報を用いて認証を行ってもよい。
【００１６】
記録部１３は、例えば電子写真方式のプリンタ装置であり、外部処理装置２３から与えられた印刷データ、読取部１４によって読み取られた画像データ、ファクシミリ受信した画像データ等を記録紙等に印刷する。読取部１４は、原稿の読み取りを行うものであり、ファクシミリ送信時の原稿の読み取りや、コピー機能及びスキャナ機能使用時の原稿の読み取り等に用いられる。
【００１７】
表示部１５は、液晶表示装置等によって構成され、この複合機１の操作情報等の表示に用いられる。操作部１６は、複数の操作ボタン、及び表示部１５との協働により構成されるタッチパネル等を備えており、この複合機１の操作に用いられる。
【００１８】
記憶部１７は、ＲＯＭ及びＲＡＭ等を備えている。この記憶部１７には、制御部１１が実行する制御プログラム、この複合機１の各種の設定データ、及び電話帳データ等が記憶される。また、記憶部１７には、外部処理装置２３から送信された印刷データ、ファクシミリ機能使用時にＮＣＵ１９を介して送信及び受信されたファクシミリの画像データ、及び、コピー機能及びスキャナ機能使用時に読み取られた画像データ等が記憶される。また、記憶部１７には、上記の如く、各ユーザに対する認証を行うための登録データ（例えば、ＩＤ及びパスワード等）が記憶されている。
【００１９】
モデム１８は、ファクシミリ通信が可能なファクシミリモデムから構成されている。また、モデム１８は、ＮＣＵ１９と直接接続されている。ＮＣＵ１９は、アナログの公衆電話回線網２１との回線の閉結及び開放の動作を行うハードウェアであり、必要に応じてモデム１８を公衆電話回線網２１と接続する。
【００２０】
ネットワーク通信部２０は、ネットワーク（ＬＡＮ及びインターネット等の外部ネットワーク）２２を介したデータ通信を担っている。より詳細には、ネットワーク通信部２０には、ＳＭＴＰ（Simple Mail Transfer Protocol）、ＰＯＰ（Post Office Protocol）、ＳＭＢ（Server Message Block）、ＨＴＴＰ（Hyper Text Transfer Protocol）等を取り扱うための機能が備えられている。ネットワーク通信部２０の具体的な機能としては、電子メールの送信及び受信、電子メールに画像データを添付して送信又は受信するインターネットファクシミリの送信及び受信、及び、ＬＡＮ又はインターネットを介したデータの送信及び受信受等が含まれている。
【００２１】
また、本実施形態に係る複合機１では、各機能に関する各種の設定について、各ユーザが共有して使用する共有の設定と、ユーザごとに異なった設定を行える個人設定とが利用できる。しかも、各機能に対して共有の設定及びユーザの個人設定のいずれを有効とすべきかをユーザごとに切り替えできる。
【００２２】
このため、記憶部１７には、例えば図２に示すように、複合機１に備えられる各機能Ａ，Ｂ，Ｃ，・・・ごとに、共有の設定Ａ０，Ｂ０，Ｃ０，・・・、及び、各ユーザ１，２，３，・・・の個人設定Ａ１，Ｂ１，Ｃ１，・・・；Ａ２，Ｂ２，Ｃ２，・・・；Ａ３，Ｂ３，Ｃ３，・・・に関する設定データが記憶されている。また、記憶部１７には、複合機１の各機能に対して共有の設定及び各ユーザの個人設定のいずれを有効とすべきかに関する設定切替情報（図２では「切替情報」と表記）Ｑが、各機能Ａ，Ｂ，Ｃ，・・・ごと、かつ、各ユーザ１，２，３，・・・ごとに記憶されている。
【００２３】
このような切り替えの対象となる機能としては、例えば、ソフトキー、送信証、フォルダショートカット、アドレス帳、送信元表示等がある。ソフトキーとは、タッチパネル上のキーであり、例えば、複合機１の各機能の設定を変更するための画面を呼び出すためのコマンド等が割り当てられる。そのソフトキーにどのようなコマンドを割り当てるか、及び、ソルトキーをどのような配置でタッチパネル上に表示させるかは、共有の設定、及び各ユーザの個人設定により変更できる。
【００２４】
送信証は、ファクシミリ送信、及び、インターネットファクシミリ送信の送信結果をユーザに通知する機能であり、オン、オフの切り替えができる。通知の方法としては、例えばプリント又は電子メールが選択できる。送信証のオン、オフの切り替え、及び、通知の方法（プリントか、電子メールか）は、共有の設定、及び、各ユーザの個人設定により変更できる。
【００２５】
フォルダショートカットとは、タッチパネル上のキーであり、例えば、スキャン機能により読み取られた画像データの保存先の指定、及び、保存された画像データを読み出すときの読み出し先の指定に用いられる。フォルダショートカットにどのフォルダを割り当てるかは、共有の設定、及び、各ユーザの個人設定により変更できる。
【００２６】
アドレス帳は、タッチパネル上のキーであり、ファクシミリ及びインターネットファクシミリ等の送信先のアドレスが登録されたものでる。その登録の内容は、共有の設定、及び、各ユーザの個人設定により変更できる。
【００２７】
送信元表示とは、ファクシミリ及びインターネットファクシミリ等の送信データ中に送信元に関する情報（送信元のファクシミリ番号、メールアドレス、名称等）を自動的に書き込む機能である。その送信元表示の内容及びオン、オフの切り替えは、共有の設定、及び、各ユーザの設定により変更できる。
【００２８】
制御部１１は、この複合機１の各機能が利用されるときに、記憶部１７に記憶されている設定切替情報Ｑに基づいて、共有の設定及びユーザの個人設定のいずれを有効とすべきかを特定し、特定した設定に基づいてその機能に関する処理を実行する。この設定切替情報Ｑを用いた設定の切り替えは、利用される機能及びユーザごとに個別に行われる。この切り替え処理について、図３のフローチャートを参照してより詳細に説明する。
【００２９】
図３に示すように、この複合機１の各機能（例えば、ファクシミリ送信、インターネットファクシミリ送信、原稿のスキャン、コピー等）に関する処理の実行が指示された場合（ステップＳ１）、ユーザがログインしているか否かが判断される（ステップＳ２）。ログイン済みである場合には、そのユーザの個人設定に関する設定切替情報が参照され、そのユーザの個人設定が有効になっているか否かが判断される（ステップＳ３）。個人設定が有効になっている場合には、処理対象の機能に関する設定としてそのユーザの個人設定が採用されて、その機能に関する処理が実行される（ステップＳ４）。
【００３０】
一方、ユーザがログインしていない場合、及び、ログインしていてもその機能に関するユーザの個人設定が無効とされている場合には、処理対象の機能に関する設定として共有の設定が採用されて、その機能に関する処理が実行される（ステップＳ５）。
【００３１】
例えば、具体例として、ファクシミリ送信に関する設定について、ユーザの個人設定では送信証の通知がオンに設定され、共有の設定では投信証の通知がオフに設定されている場合について説明する。この場合において、ファクシミリ送信に関するユーザの個人設定が有効にされているときには、ファクシミリ送信に伴って送信証が通知されるが、ユーザの個人設定が無効にされているときには、共有の設定が適用されて送信証の通知は行われない。
【００３２】
また、制御部１１は、各機能に関する各ユーザの個人設定、及び設定切替情報を操作部１６から入力される指示に応じて変更する。その変更の手順等について、図４から図７を参照して説明する。まずタッチパネルの設定キー、続いて個人設定キーを押す。すると、これに応答して、制御部１１によって、図４に示すようなそのユーザの個人設定に関する個人設定画面がタッチパネルに表示される。このとき、ユーザが既にログインしている場合には、ログインしているユーザの個人設定に関する個人設定画面が自動的に表示される。ユーザのログインが未だである場合には、個人設定キーが押されたときにログイン画面がタッチパネルに表示され、ログインの受け付けが行われた後、図４の個人設定画面が表示される。
【００３３】
図４の個人設定画面では、ソフトキー、送信証、フォルダショートカット、アドレス帳、送信元表示等に関する個人設定を呼び出すためのキー３１〜３５が表示されている。そして、呼び出したい設定項目に対応するいずれかのキー３１〜３５を押して選択し、決定キー３６を押す。これに応答して、そのキー３１〜３５に対応するユーザの個人設定、及び設定切替情報に関する画面がタッチパネルに表示される。これによって、各機能に関する個人設定及び設定切替情報の内容を確認できるとともに、その画面に対して操作を行うことにより各機能に関する個人設定及び設定切替情報を変更できる。
【００３４】
図５及び図６は、図４の送信証に関するキー３２が選択された場合に表示される画面である。より詳細には、図５は送信証に関する個人設定がオフ（無効）に設定されているときに表示さる画面であり、送信証の個人設定がオフにされていることが表示されている。図６は送信証に関する個人設定がオン（有効）に設定されているときに表示される画面であり、送信証の個人設定がオンにされていることとともに、その個人設定の内容が表示されている。図６の例では、送信証の通知がオフに設定されている。そして、その個人設定のオン、オフの変更の際には、例えば、図５又は図６の画面内の個人設定キー４１又は４２を押して個人設定のオン、オフを選択して決定キー４３又は４４を押す。また、個人設定の内容の切り替えの際には、例えば、図６の画面内の送信証設定キー４５を押し、それに続いて決定キー４４を押して、図７に示す画面を呼び出す。そして、図７の画面において、キー５１〜５３を押して選択した後、決定キー５４を押すことにより、個人設定の内容の変更が行える。なお、図７のキー５１は送信証の通知のオフを指示するものであり、キー５２はプリントによる送信証の通知を指示するものであり、キー５３は電子メールでの送信証の通知を指示するものである。また、図７では、キー５１が強調表示され、個人設定として送信証の通知がオフされていることを示している。
【００３５】
また、制御部１１は、各機能に関する共有の設定を、操作部１６から入力される指示に応じて変更する。その変更の手順等について簡単に説明する。まずタッチパネル内の設定キーを押し、続いて変更の対象となる機能の設定キー（例えば、ファクシミリ設定キー）を押し、続いて共有設定キーを押す。すると、これに応答して、制御部１１によって、その変更対象の機能の共有の設定に関する画面がタッチパネルに表示され、その画面に対して操作を行うことにより、共有の設定の変更が行える。
【００３６】
また、この複合機１では、記憶部１７に記憶された共有の設定又はユーザの個人設定を操作部１７から入力される呼び出しの指示に応じて読み出して各機能の一時的な設定として用いることができる。また、その呼び出した共有の設定又は個人設定を手直して、各機能の一時的な設定として用いることができる。
【００３７】
より詳細には、制御部１１は、各機能の一時的な利用のための呼び出し指示が操作部１６から入力された場合において、ユーザがログインしているときは、その機能に関するそのユーザの個人設定を記憶部１７から呼び出してタッチパネルに表示する。一方、ユーザがログインしていないときには、制御部１１は、その機能に関する共有の設定を記憶部１７から呼び出してタッチパネルに表示する。その状態において、操作部１６を介して個人設定又は共有の設定に対する変更が指示された場合には、制御部１１はその変更を受け付けて、呼び出している個人設定又は共有の設定に反映させる（但し、記憶部１７に記憶されている個人設定、共有の設定は変更しない）。そして、その機能に関する処理の実行の指示が操作部１６を介して入力された場合に、制御部１１は、その呼び出している個人設定又は共有の設定に基づいて処理を実行する。
【００３８】
以上のように、本実施形態によれば、記憶部１７に記憶されている設定切替情報を変更するだけで、各機能が利用されるときに共有の設定及びユーザの個人設定のいずれを有効とすべきかを切り替えられる。しかも、その切り替えのときに、各機能に関する共有の設定及びユーザの個人設定の内容を保持した状態のまま、設定の切り替えができる。よって、機能の設定を共有の設定とユーザの個人設定とで容易に切り替えられる。
【００３９】
また、操作部１７を介して、各機能に関する共有の設定、ユーザの個人設定、及び設定切替情報の内容を容易に変更できる。
【００４０】
また、記憶部１７に記憶された共有の設定又はユーザの個人設定を操作部１６から入力される呼び出しの指示により呼び出して各機能の一時的な設定として用いることができるため、便利である。これは、例えば、ファクシミリ送信等の際に、各ユーザが自分の個人設定又は共有の設定を一時的な設定として利用してファクシミリ送信を行いたい場合等に便利である。
【００４１】
また、その一時的な設定として呼び出した共有の設定又はユーザの個人設定を操作部１６からの操作により容易に変更でき、しかもその変更の際に、既に記憶部１７に記憶された共有の設定及びユーザの個人設定をデフォルトして用いて変更でき、便利である。
【００４２】
なお、上述の実施形態に係る複合機１の変形例として、認証用のユーザの登録データをネットワーク２２を介して接続された外部のサーバ等に保存してもよい。
【図面の簡単な説明】
【００４３】
【図１】本発明の一実施形態に係る複合機としてのネットワーク複合機のブロックである。
【図２】図１のネットワーク複合機の記憶部に記憶された設定情報の説明図である。
【図３】図１のネットワーク複合機によって処理が実行される際のフローチャートである。
【図４】図１のネットワーク複合機におけるタッチパネルの画面の説明図である。
【図５】図１のネットワーク複合機におけるタッチパネルの画面の説明図である。
【図６】図１のネットワーク複合機におけるタッチパネルの画面の説明図である。
【図７】図１のネットワーク複合機におけるタッチパネルの画面の説明図である。
【符号の説明】
【００４４】
１  複合機
１１  制御部
１３  記録部
１４  読取部
１５  表示部
１６  操作部
１７  記憶部
２０  ネットワーク通信部
【図１】
0004497331.tif 000002
【図２】
0004497331.tif 000003
【図３】
0004497331.tif 000004
【図４】
0004497331.tif 000005
【図５】
0004497331.tif 000006
【図６】
0004497331.tif 000007
【図７】
0004497331.tif 000008